【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
撮影レンズ光学系と絞りと撮像素子を有し、
前記撮像素子が画像信号を取得することで撮影画像データを取得する撮像装置において、
第１記憶手段と、第１計算手段と、補正手段と、第２記憶手段と、制御手段と
を有し、
前記第１記憶手段は、撮影画像データの信号値のむらを補正するための補正項を、補間計算に適する複数のパラメータに対応させて記憶し、
前記第２の記憶手段は、撮影条件に対応する記憶に適する複数のパラメータを記憶し、
前記第制御手段は、実際に撮影した際の撮影条件に対応する記憶に適する複数のパラメータから、補間計算に適する複数のパラメータを計算し、
前記第１計算手段は、前記第１記憶手段に記憶されている補正項のうち、前記制御手段が計算した、撮影画像データを取得した際の前記撮影条件の、補間計算に適する複数のパラメータと近い補正項を用いて撮影画像データの補正項を補間計算し、
前記補正手段は、前記第１計算手段が計算した撮影画像データの補正項を用いて、撮影画像データの信号値のむらを補正する
ことを特徴とする撮像装置。
【請求項２】
撮影レンズ光学系と絞りと撮像素子を有し、
前記撮像素子が画像信号を取得することで撮影画像データを取得する撮像装置において、
第１記憶手段と、第１計算手段と、補正手段と、第２記憶手段と、制御手段と
を有し、
前記第１記憶手段は、撮影画像データの信号値のむらを補正するための補正項を、補間計算に適する複数のパラメータに対応させて記憶し、
前記第２記憶手段は、撮影条件に対応する撮影条件の光線角度、撮影レンズの種類、ズームポジション、合焦位置、絞り径に関するパラメータ、コンバータの有無及び種類、フィルタの有無及び種類、色収差、像面湾曲、歪曲収差、レンズシフト方式手振れ補正レンズのシフト量、センサシフト方式手振れ補正センサのシフト量、ティルト・シフトレンズのティルト・シフト量、ソフトフォーカスレンズのソフト量、光源の種類、撮影レンズの透過率、撮影レンズのコーティング、センサの温度、露光時間のうち、少なくとも２つ以上の項目を記憶し、
前記制御手段は、実際に撮影した際の撮影条件の光線角度、撮影レンズの種類、ズームポジション、合焦位置、絞り径に関するパラメータ、コンバータの有無及び種類、フィルタの有無及び種類、色収差、像面湾曲、歪曲収差、レンズシフト方式手振れ補正レンズのシフト量、センサシフト方式手振れ補正センサのシフト量、ティルト・シフトレンズのティルト・シフト量、ソフトフォーカスレンズのソフト量、光源の種類、撮影レンズの透過率、撮影レンズのコーティング、センサの温度、露光時間のうち、少なくとも２つ以上の項目から、補間計算に適する複数のパラメータを計算し、
前記第１計算手段は、前記第１記憶手段に記憶されている補正項のうち、前記制御手段が計算した、撮影画像データを取得した際の前記撮影条件の、補間計算に適する複数のパラメータと近い補正項を用いて撮影画像データの補正項を補間計算し、
前記補正手段は、前記第１計算手段が計算した撮影画像データの補正項を用いて、撮影画像データの信号値のむらを補正する
ことを特徴とする撮像装置。
【請求項３】
前記第２記憶手段は前記撮影条件に対応する絞り中心光線角及び絞り周辺光線角をあらかじめ記憶し、
前記第１記憶手段は、補正項を光束中心光線角と絞り径に関するパラメータとに対応させて記憶し、
前記制御手段は、実際に撮影した際の絞り中心光線角及び絞り周辺光線角と、絞り径に関するパラメータから、光束中心光線角を計算し、
前記第１計算手段は、前記第１記憶手段に記憶されている補正項のうち、前記制御手段が計算した、撮影画像データを取得した際の前記撮影条件の、光束中心光線角及び絞り径に関するパラメータと近い補正項を用いて撮影画像データの補正項を補間計算する
ことを特徴とする請求項１又は請求項２に記載の撮像装置。
【請求項４】
前記第２計算手段は、基準となる被写体を撮影することで取得した調整画像データから、
撮影画像データの信号値の比を補正する為の補正項を計算する
ことを特徴とする請求項１乃至請求項３のいずれかに記載の撮像装置
【請求項５】
前記第２計算手段は、基準となる被写体を撮影することで取得した調整画像データを複数のブロックに分割し、ブロック毎のゲインを計算し、前記ブロック毎のゲインの集合である補正項を予め計算し、
前記第１記憶手段は、前記第２計算手段が計算したブロック毎のゲインの集合である補正項を、調整画像データを取得した際の前記撮影条件に対応させて記憶する
ことを特徴とする請求項４に記載の撮像装置。
【請求項６】
前記基準となる被写体は、輝度及び色が均一な面である
ことを特徴とする請求項４又は請求項５に記載の撮像装置
【請求項７】
前記第１計算手段は、撮像素子の特性に起因する撮像面の受光特性の非均一性についての補正項を計算し、
前記補正手段は、前記第１計算手段が算出した撮像素子の特性に起因する撮像面の受光特性の非均一性についての補正項を用いて補正を行う
ことを特徴とする請求項１乃至請求項６のいずれか一項に記載の撮像装置。
【請求項８】
装着するレンズ光学系の交換が可能な撮像装置であり、
前記第１記憶手段が前記撮像装置内に配置されていること
を特徴とする請求項１乃至請求項７のいずれか一項に記載の撮像装置。
【請求項９】
装着するレンズ光学系の交換が可能な撮像装置であり、
前記第１記憶手段が装着するレンズ内に配置されていること
を特徴とする請求項１乃至請求項７のいずれか一項に記載の撮像装置。
【手続補正２】
【補正対象書類名】明細書
【補正対象項目名】００１０
【補正方法】変更
【補正の内容】
【００１０】
撮影レンズ光学系と絞りと撮像素子を有し、前記撮像素子が画像信号を取得することで撮影画像データを取得する撮像装置において、第１記憶手段と、第１計算手段と、補正手段と、第２記憶手段と、制御手段とを有し、前記第１記憶手段は、撮影画像データの信号値のむらを補正するための補正項を、補間計算に適する複数のパラメータに対応させて記憶し、前記第２の記憶手段は、撮影条件に対応する記憶に適する複数のパラメータを記憶し、前記第制御手段は、実際に撮影した際の撮影条件に対応する記憶に適する複数のパラメータから、補間計算に適する複数のパラメータを計算し、前記第１計算手段は、前記第１記憶手段に記憶されている補正項のうち、前記制御手段が計算した、撮影画像データを取得した際の前記撮影条件の、補間計算に適する複数のパラメータと近い補正項を用いて撮影画像データの補正項を補間計算し、前記補正手段は、前記第１計算手段が計算した撮影画像データの補正項を用いて、撮影画像データの信号値のむらを補正することを特徴とする撮像装置を提供する。
【手続補正３】
【補正対象書類名】明細書
【補正対象項目名】００１１
【補正方法】変更
【補正の内容】
【００１１】
撮影レンズ光学系と絞りと撮像素子を有し、前記撮像素子が画像信号を取得することで撮影画像データを取得する撮像装置において、第１記憶手段と、第２記憶手段と、制御手段と、第１計算手段と、補正手段とを有し、前記第１記憶手段は、撮影画像データの信号値のむらを補正するための補正項を、補間計算に適する複数のパラメータに対応させて記憶し、前記第２記憶手段は、撮影条件に対応する撮影条件の光線角度、撮影レンズの種類、ズームポジション、合焦位置、絞り径に関するパラメータ、コンバータの有無及び種類、フィルタの有無及び種類、色収差、像面湾曲、歪曲収差、レンズシフト方式手振れ補正レンズのシフト量、センサシフト方式手振れ補正センサのシフト量、ティルト・シフトレンズのティルト・シフト量、ソフトフォーカスレンズのソフト量、光源の種類、撮影レンズの透過率、撮影レンズのコーティング、センサの温度、露光時間のうち、少なくとも２つ以上の項目を記憶し、前記制御手段は、実際に撮影した際の撮影条件の光線角度、撮影レンズの種類、ズームポジション、合焦位置、絞り径に関するパラメータ、コンバータの有無及び種類、フィルタの有無及び種類、色収差、像面湾曲、歪曲収差、レンズシフト方式手振れ補正レンズのシフト量、センサシフト方式手振れ補正センサのシフト量、ティルト・シフトレンズのティルト・シフト量、ソフトフォーカスレンズのソフト量、光源の種類、撮影レンズの透過率、撮影レンズのコーティング、センサの温度、露光時間のうち、少なくとも２つ以上の項目から、補間計算に適する複数のパラメータを計算し、前記第１計算手段は、前記第１記憶手段に記憶されている補正項のうち、前記制御手段が計算した、撮影画像データを取得した際の前記撮影条件の、補間計算に適する複数のパラメータ近い補正項を用いて撮影画像データの補正項を補間計算し、前記補正手段は、前記第１計算手段が計算した撮影画像データの補正項を用いて、撮影画像データの信号値のむらを補正することを特徴とする撮像装置を提供する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
前記第２記憶手段は前記撮影条件に対応する絞り中心光線角及び絞り周辺光線角をあらかじめ記憶し、前記第１記憶手段は、補正項を光束中心光線角と絞り径に関するパラメータとに対応させて記憶し、前記制御手段は、実際に撮影した際の絞り中心光線角及び絞り周辺光線角と、絞り径に関するパラメータから、光束中心光線角を計算し、前記第１計算手段は、前記第１記憶手段に記憶されている補正項のうち、前記制御手段が計算した、撮影画像データを取得した際の前記撮影条件の、光束中心光線角及び絞り径に関するパラメータと近い補正項を用いて撮影画像データの補正項を補間計算することを特徴とする請求項１又は請求項２に記載の撮像装置を提供する。
【手続補正６】
【補正対象書類名】明細書
【補正対象項目名】００１４
【補正方法】変更
【補正の内容】
【００１４】
前記第２計算手段は、基準となる被写体を撮影することで取得した調整画像データから、
撮影画像データの信号値の比を補正する為の補正項を計算する
ことを特徴とする請求項１乃至請求項３のいずれかに記載の撮像装置を提供する。
【手続補正７】
【補正対象書類名】明細書
【補正対象項目名】００１５
【補正方法】変更
【補正の内容】
【００１５】
前記第２計算手段は、基準となる被写体を撮影することで取得した調整画像データを複数のブロックに分割し、ブロック毎のゲインを計算し、前記ブロック毎のゲインの集合である補正項を予め計算し、前記第１記憶手段は、前記第２計算手段が計算したブロック毎のゲインの集合である補正項を、調整画像データを取得した際の前記撮影条件に対応させて記憶することを特徴とする請求項４に記載の撮像装置を提供する。
【手続補正８】
【補正対象書類名】明細書
【補正対象項目名】００１６
【補正方法】変更
【補正の内容】
【００１６】
前記基準となる被写体は、輝度及び色が均一な面であることを特徴とする請求項４又は請求項５に記載の撮像装置を提供する。
【手続補正９】
【補正対象書類名】明細書
【補正対象項目名】００１７
【補正方法】変更
【補正の内容】
【００１７】
前記第１計算手段は、撮像素子の特性に起因する撮像面の受光特性の非均一性についての補正項を計算し、前記補正手段は、前記第１計算手段が算出した撮像素子の特性に起因する撮像面の受光特性の非均一性についての補正項を用いて補正を行うことを特徴とする請求項１乃至請求項６のいずれか一項に記載の撮像装置を提供する。
【手続補正１０】
【補正対象書類名】明細書
【補正対象項目名】００１８
【補正方法】変更
【補正の内容】
【００１８】
装着するレンズ光学系の交換が可能な撮像装置であり、前記第１記憶手段が前記撮像装置内に配置されていることを特徴とする請求項１乃至請求項７のいずれか一項に記載の撮像装置を提供する。
【手続補正１１】
【補正対象書類名】明細書
【補正対象項目名】００１９
【補正方法】変更
【補正の内容】
【００１９】
装着するレンズ光学系の交換が可能な撮像装置であり、前記第１記憶手段が装着するレンズ内に配置されていることを特徴とする請求項１乃至請求項７のいずれか一項に記載の撮像装置を提供する。